(57)【要約】  本発明は、投影装置及びその装置を制御する方法に関する。投影装置は投影器と、投影面と、データ処理システムとを備え、投影面上の画像についての情報がデータ処理システムに送信され、データ処理システムが投影器を制御する。投影面（１）は、光輝性粒子が一体化されており、複数の光電子センサ（２）が嵌め込まれた平面光導波路として設計される。光電子センサは、導波モードの光をカップルアウトし、それによって、強度が光検出器でカップルアウトされた光の強度に依存する電気信号を生成することができる。【選択図】図１
2013533500.tif 000002
【特許請求の範囲】
【請求項１】
投影器と、投影面と、データ処理システムとを備え、前記投影面上の光分布に関する情報が前記データ処理システムに送信され、前記データ処理システムが前記投影器を制御する投影装置において、
前記投影面（１）が、光輝性粒子が一体化されている平面光導波路であって、前記導波モードから光をカップルアウトし、それによって強さが前記光検出器においてカップルアウトされた前記光の強度に依存する電気信号を生成することが可能な複数の光電子センサ（２）が嵌め込まれた平面光導波路として実現されることを特徴とする投影装置。
【請求項２】
請求項１に記載の投影装置において、前記投影面（１）が、層厚さが２０〜５００μｍである透明ポリマーで構成される可撓性フィルムとして形成されることを特徴とする投影装置。
【請求項３】
請求項１又は２に記載の投影装置において、光検出器（２）が全ての端部から離れた位置にある表面領域に配置されることを特徴とする投影装置。
【請求項４】
請求項１乃至３のいずれか１項に記載の投影装置において、光検出器（２）がそれぞれ、別種の平面フィルムに熱成形またはエンボス加工といった変形方法を施すことで形成された、投影面の凹部に配置されることを特徴とする投影装置。
【請求項５】
請求項１乃至４のいずれか１項に記載の投影装置において、投影面（１）の観察者側が、投影面においてガイドされた発光を透過させないカラーフィルタフィルムによって覆われることを特徴とする投影装置。
【請求項６】
投影器と、投影面と、データ処理システムとを備え、前記投影面上の画像に関する情報が前記データ処理システムに送信され、前記データ処理システムが前記投影器を制御する投影装置において、前記投影面（１）上の前記画像に関する情報が前記データ処理システム（４）に送信され、その送信される原理が、前記投影面（１）に衝突する光によって前記投影面（１）に発光が生じ、その発光は光導波によって前記投影面（１）中を伝播しつつもそのプロセス中に強度が減少し、前記発光は投影面（１）に配置された光検出器（２）に、強さが前記光強度に依存し、前記データ処理システム（４）に送信される電気信号を生じさせるものであることを特徴とする方法。
【請求項７】
請求項６に記載の方法において、投影面（１）が平面的に設けられた場合、前記投影面（１）上で届く全範囲を均一に照らす投影器（５）によって、前記投影器（５）と前記投影面（１）との間で台形補正が実行され、隣接する光検出器（２）間で測定された種々の光強度からデータ処理システム（４）が前記投影面（１）上の照射域の端部の位置を推定し、その結果、前記投影器が前記データ処理によって修正されるように制御されることを特徴とする方法。
【請求項８】
請求項６に記載の方法において、前記投影器（５）を用いて前記投影器（５）と投影面（１）との間でのキャリブレーションのために前記投影面（１）上にパターンが投射され、前記投影面上の前記パターンの各点の位置が測定によって検出され、それにより、前記データ処理システム（４）が原画像と前記投影面上の画像との幾何学的関係を計算し、前記データ処理システムがさらに、前記投影面に歪みのない画像を生成するために、投影器（５）によって投射される投影オリジナルを形成するための、原画像を歪ませる仕様を計算することを特徴とする方法。
【請求項９】
請求項６又は８に記載の方法において、前記投影器（５）を用いて前記投影面（１）にパターンが投射され、前記投影面上の前記パターンの各点の位置が測定によって検知され、光検出器（２）について、そこで生成される電気信号の強度と前記投影器によって投射される既知のトリガ光の強度とに基づき、前記投影器によって投射される光強度と電気信号強さとの間の翻訳ファクタが計算されることを特徴とする方法。
【請求項１０】
請求項６に記載の方法において、時間的に連続して個々の光スポットのみが前記投影器によって前記投影面上に投射され、前記投影面上の前記光スポットの位置が測定され、それに基づき、前記投影面上に歪みのない画像を生じさせるために、表示される原画像の個々のピクセルがどのように、原画像と比較して歪んだ、前記投影器によって投射される投影オリジナルに対して移動させられるかに関するテーブルが作成されることを特徴とする方法。
【請求項１１】
請求項６に記載の方法において、複数の投影器が前記投影面を照らし、請求項６乃至１０のいずれか１項に記載の方法によって各投影器のひずみの情報が決定され、次いで、前記複数の投影器の画像が互いに、全体として単一のより大きな画像という印象が生じるように輝度と位置に関して調整されることを特徴とする方法。
【請求項１２】
請求項６乃至１１のいずれか１項に記載の方法において、幾つの光ポインタが前記投影面の所定の領域部を指しているかを確定するために、複数の光ポインタの全体の光度が、前記投影面（１）の光検出器（２）からの信号を評価することによって前記データ処理システム（１）によって決定されることを特徴とする方法。
【請求項１３】
請求項６乃至１２のいずれか１項に記載の方法において、前記投影面（１）の光検出器（２）からの信号を評価することによって、前記データ処理システム（１）が、前記投影面（１）が配置されている部屋における、前記投影器（５）によって投射される画像とは独立している前記輝度の変動を検出し、前記投影器によって投射される光の強度が、そのように測定された輝度まで追跡されることを特徴とする方法。
【発明の詳細な説明】
【技術分野】
【０００１】
本発明は、投影器、投影面、及びデータ処理システムを備えた投影装置、及び、前記投影装置を操作する方法に関する。
【背景技術】
【０００２】
投影器によって出射された像が、例えばスクリーン等の平面投影面上で歪曲せずに表現されるのは、その投影面の平面が投影器に対して正しい角度位置に、即ち（仮想）結像面に平行に配置された場合のみである。この相対位置が適切でなければ、長方形が台形として表現される、いわゆる台形画像歪みが生じる。これは、結像面と投影面が、長方形の１つの辺に平行な直線に関してのみ、互いに回転している場合に発生する。今日、市販されている投影器のうち簡単な構造のものの場合、この歪みは、横軸に関してのみ、結像面と投影面を互いに回転させるだけで簡単に補正することができる。いわゆる「キーストーン補正」または「台形補正」用のキーを用いることで、上部の画像領域が、下部の画像領域に対して、その横方向範囲に関して縮小または拡大される。投影された画像の質を評価するオペレータによって、前記オペレータの観点からして画像が適切となるまで適切なキーが押下される。
【０００３】
投影器では、画像は通常、典型的には鏡である光学ユニットの位置を機械的に調整し、結果として結像面が投影面に平行とされることで像が縮小されたり拡大されたりする。画像がデジタル情報として存在する場合、デジタル「原」画像オリジナルを、歪んだ投影画像オリジナルに変換してもよい。それが投影面上に歪んで投影されると、まさにその結果として、再び正しい画像が形成される。
【０００４】
上述した手動の画像歪み補正とともに、当然、自動的に実行される補正も存在する。
【０００５】
この点に関し、米国特許出願公開第２００５２１３０８１号明細書、国際公開第２００５００６０７３号パンフレット、欧州特許第１６５４５１５Ｂ１号明細書、欧州特許第１３９５０５０Ｂ１号明細書、米国特許出願公開第２００５１９０３４３号明細書は、投影器が光学距離測定部と計算部を備えるという原則について記述している。平面であると仮定される投影面上で、互いに離れた少なくとも３つの点の距離を自動的に測定し、それに基づいて投影器に対する投影面の位置と距離が計算され、さらにその結果、光学システム又は投影される画像がそれに合わせて適応される。投影面上のそれらの点を決定するために、通常はテスト画像がその投影面に投影される。
【０００６】
国際公開第２００６０２４２５４号パンフレットは、ある面に投影された画像が、少なくとも１人の観察者にとって、たとえ前記の表面が平面的でもなく、１つの色がついてもいない場合であっても、少なくとも色と幾何学的な点で概して正しいように見える方法と装置について記載している。この投影器により、適切に歪められ、局所的に色が変更された投影画像オリジナルが表面に投射され、表面への観察方向を向いた観察者の視点からして、正しい画像が再び見えるようになる。デジタル情報として存在する原画像を、色が修正され歪んだ投影画像オリジナルに変換する基準の決定は、投影器が表面に既知のテスト画像を投射し、表面で生成される画像が観察者の位置に可能な限り正確に合致したカメラによって記録される、という事実に基づいて実行される。そして、画像を評価することで解明できる、所望の位置に対するピクセルの局所的なずれと、投影面の各位置において生じる正しい色に対する色ずれとに基づき、投影画像オリジナルを形成するためにどのように各ピクセルが原画像上の配置に対して局所的に動かされ、どのようにその色が原画像上の色に対して変更されるか、という基準が各画像ピクセルに関して計算される。従って、制御データ処理システムは、投影面のどの点に投影器がどのピクセルを送信するかを正確に確定し、また影響を与えることができる。故に、このシステムは、共通の大きな投影面に複数の投影器による投影をすることに、容易に適用できる。しかし、このシステムはハードウエアとソフトウエアの点で複雑である。従って、投影面がユーザによって光ポインタを用いて照らされ、それに応じた仕方で中央データ処理システムのプログラムが制御されるといったような対話性はほとんどサポートされ得ない。
【０００７】
本発明の基礎となる目的は、ハードウエアおよびソフトウエアの点で投影器と投影面の調整を簡単にすることと、対話型アプリケーションをよりよくサポートすることである。
【０００８】
この目的を達成するために、基本として考慮されるのは、少なくとも１つの投影器、投影面、及びデータ処理システムを備え、投影面上の画像に関する情報がデータ処理システムに送られ、データ処理システムが投影器を制御する投影装置である。
【０００９】
本発明は、光輝性粒子が一体化されている平面光導波路であって、複数の光電子センサ（以下、略して「光検出器」と称する）が嵌め込まれた平面光導波路として実現される投影面を提供する。この光検出器は、導波モードからの光をカップルアウトし、それによって強さが光検出器においてカップルアウトされた光の強度に依存する電気信号を生成することが可能である。この信号はデータ処理システムに送信される。データ処理システムはその信号がどの程度の強度を持ち、どの光検出器に由来するかを特定することができる。投影器と投影面間のキャリブレーションのため、投影器を用いて、１つ又は複数の幾何学的に単純で明瞭な画像が投影面に投射される。これによって個々の光検出器で電気信号が生成され、次いでこの信号から、データ処理システムが、投影面上に投影された画像の個々の点の位置を推定する。
【００１０】
本発明について図面を参照しつつ更に詳細に説明する。
【図面の簡単な説明】
【００１１】
【図１】図１は、本発明に係る投影器の必須要素に関する基本的な概略図。
【図２】図２は、投影面の必須要素の断面図。縮尺は正確ではない。光ビームが記号的に点線で表されている。
【図３】図３は、本発明に係る投影面の抜粋の正面図。
【図４】図４は、特に有利な形式で実現された投影面の抜粋の一部断面図。
【図５】図５は、他の有利な形式で実現された投影面の抜粋の一部断面図。
【発明を実施するための形態】
【００１２】
図１によると、本発明に係る投影器の必須基本要素は、投影器５、投影面１、及びデータ処理システム４である。
【００１３】
画像を表示するために、投影器５は投影面１上に光を投射する。図示された例では、この画像は鎖線で構成される閉多角形である。投影面では、電気信号が（図２〜図５に示されている）光検出器において、投影面に衝突する光に応じて生成され、データ処理システム４に送信される。一方、データ処理システム４は投影器５を制御し、投影器に画像データを提供する。
【００１４】
投影器５と投影面１との間のキャリブレーションは例えば次の手順で進めることができる。
【００１５】
−投影器５は、例えば白色の投影面１上で届く全範囲を均一に照らす。それに応じて、投影面に嵌め込まれた光検出器は光を検出する。投影面で照射された範囲の端部では、光はまた、発光導波によって照射域の外部の光検出器へ誘導される。隣接する光検出器間で測定された種々の光強度、また、前記光強度の比に基づき、データ処理システムはデータ評価を行うことでどの隣接する光検出器の間が照射領域の端部になり、それが各フォトダイオードとどの程度近いかを特定することができる。そこで、投影器はデータ処理により、投影面が平面的に配置されている場合に台形補正が実行されるように制御される。すなわち、投影器によって投射された、長方形の辺を有する画像が、投影面上でアスペクト比が等しい長方形の辺を有する画像となる。
【００１６】
従来技術に関して既に論じたように、投影器にこれを適応させるには、例えば典型的には鏡である光学的部品を適切に移動させることによって、または投影オリジナルとして投影器に伝達された適切な歪み画像によって実行することができる。この場合、「適切な歪み」とは、投影器によって投影面に投影される際に画像が歪む程度に対して補足的に歪むことを意味する。
【００１７】
−投影器５は投影面１上に例えば幾つかの白い縞といった単純なパターンを投射する。投影面上の前記縞の各点、たとえば端点または交点の測定位置から、原画像と投影面上の画像との間の幾何学的関係を計算することができる。これは、原画像と投影器によって投射される投影オリジナルとの間で必要な幾何学的歪みが、原画像が可能な限り適切な仕方で（例えば投影面上で面積及び／又は角度が正確となるように）表示されるように計算することができる。投影面は必ずしも平面として実現されていなくても良い。
【００１８】
各光検出器で得られる電気信号の強さ及び既知の投射された光強度に基づき、投影器によって投射された光の強度と電気信号強さとの間の各検出器の翻訳ファクタを算出することもできる。
【００１９】
−非常に簡単な数学的な労力と単純なアルゴリズムで、しかし投影と測定のために幾らか時間をかけることで、表示される原画像の個々のピクセルがどのように、原画像と比較して歪んだ、投影器によって投射される投影オリジナルに対して移動させられるかに関するテーブルを作成することができる。これは時間的に連続して個々の光スポットのみが投影器によって投影面上に投射され、その投影面上の位置が測定されることで作成される。
【００２０】
投影面は例えばパノラマ投影用に半円筒曲面状であってもよいため、投影画像のそのような補整は、その領域に亘って均一に分布するように歪んだ投影画像によって行うこともできる。
【００２１】
同様に、端部で重なり合う複数の投影器の画像を、大きな継ぎ目のない画像が生じるように互いに適合させることができる。これは、上述したように各画像のキャリブレーションを実行し、その後、重なり合う画像の端部の輝度を合わせることで実行できる。これによって、投影された複数の画像が滑らかに推移する。
【００２２】
光検出器の信号強さによって、各投影画像の絶対光強度も推定することができる。それにより、結合された画像の輝度が均一となるように投影器の輝度を適応させることができる。
【００２３】
投影器と投影面との間でキャリブレーションを行った後、この装置は、典型的にはレーザポインタである光ポインタを用いて、対話的操作を行うのに極めて適している。データ処理システムは投影面のどの領域部が原画像のどの画像領域に割り当てられるのかに関する情報を受信するため、また、投影器も投影面の、関連する領域部に非常に確実かつ正確にそれに適した画像部分を描くために、投影面上の発光ポインタによって生じる光スポットの位置（その光スポットは投影面の光検出器を用いて確認可能である）は、常にコンピュータのスクリーン上のカーソルのような描画された画像に適切に対応する。従って、これによって、データ処理システム４は効果的に制御される。
【００２４】
投影面は通常、数人から多数の聴衆によって見られるため、本発明に係る投影装置の有利な応用の１つとして、複数の発光ポインタの使用を可能とし、それに対応して聴衆の各人がポインティングデバイスを持つことができる。
【００２５】
例として、聴衆の人々の間で評決を取ることができる。このために、各個人が、発光ポインタを用いて、例えば投影面上に示された左又は右の選択領域を照らす。選択領域上で測定される光の強度はそこに示された光ポインタの数に比例する。最も多い数の光ポインタが測定された選択領域に応じて、従って、過半数の票に応じて、例えば異なる内容のプレゼンテーションを続けることが可能である。
【００２６】
投影面が配置されている部屋の明るさが変化すると、投影面の全ての光検出器の信号強さは、投影されている画像の内容の変化とは同期せずに変化する。例えばもし光が点灯されたり消灯されたりした場合、又はブラインドが開けられたり閉められたりした場合、部屋の明るさが変化したことは、投影面の光検出器からの信号を評価することで、データ処理システムによって直ちに認識することが可能である。有利には、投影器の明るさ又は室内照明の明るさは、その検知に基づき、データ処理システムによって適切に再調整される。（換言すれば、投影器の光の強度は暗い部屋では低く設定され、もし部屋がより明るいならば投影器の光の強さはより高く設定される。または、ある投影の特性に対する必要に応じて部屋の照明が再調整される。）
【００２７】
取り扱いとコストのため、投影面１は可撓性フィルムとして実現されるのが好ましい。この目的での平面光導波路の構造が図２に模式的に示される。投影面１の主要部分を形成する平面光導波路は、好ましくは層の厚みが２０〜５００μｍである透明ポリマーによって形成される。
【００２８】
本書類中の意義の範囲内において、「透明ポリマー」とは「透明ポリマー混合物」をも意味また包含するものとする。
【００２９】
特に好ましい実施形態においては、光検出器２はそれぞれが、投影面の光導波路の凹部に配置される。この凹部は別種の平面フィルムに対する、熱成形またはエンボス加工といった変形方法によって形成される。結果として、投影面は特に薄く、強靱で、しなやかになる。
【００３０】
投影面１が正しく機能するためには、光検出器２は表面端部には嵌め込まれない、又は表面端部のみに嵌め込まれるのではなく、全ての端部から離れた表面領域にも主に嵌め込まれることが重要である。
【００３１】
構造が図２に模式的に示されており、投影面１の最主要な部分をなす平面光導波路は、例えばＰＥＴで構成される厚みが約０．１ｍｍの薄被覆層１．１が２枚と、その間に層状に形成された樹脂ポリビニルアルコールとローダミン染料６Ｇの均一混合物で構成される厚みが約０．００１ｍｍの層１．２とで構成される。層１．２は光輝性である。その厚みは十分なので、通常照射される、波長が５３２ｎｍの光の吸収は８０％を上回る。（この目的に必要な層の厚みは実験で決定するのが最善である。）
【００３２】
適切なスペクトルを有する光線３．１が層１．２に衝突することで層１．２の染料粒子の発光が引き起こされる。この場合、長波長の拡散的な散乱光が生じる。既知の光導波の基本的な機能原理に従って、その光は透明層１．１中を伝播し、大部分はそれらの層の中に留まる。屈折率が異なるために、周囲（空気）との界面で、光は層１．１の材料中に反射する。
【００３３】
例えば、周期長が５ｃｍの正方格子では、略２×２ｍｍ２の断面積を占める光検出器２が、ＰＥＴ層からの光をカップルアウトし、そのｐｎ接合でそれらをカップルインするように、２つのＰＥＴ層１．２のうち１つの露出側に嵌め込まれる。全ての光検出器２の信号は電線５と周波数フィルタ６を経てデータ処理システム７に供給される。データ処理システム７において、信号は測定、処理される。
【００３４】
発光の結果、光衝突スポット３．２において光導波路１で生成された光３．３の強度は光スポット３．２からの距離が増大するにつれて減少する。幾何学的理由により、その強度は距離の逆数に比例して減少する。さらに、導波路内の光導波に損失がつきものであるために、指数関数的な減少も生じる。
【００３５】
光スポット３．２の衝突点、即ち発光が生じる点に対する距離ｒに応じた導波路内の光３．３の強度は、次の式によって表すことができる：
Ｉ＝Ｉ０＊ｅｘｐ（−ｋ．ｒ）／ｒ
ここにおいて、ｋは材料パラメータであり、初期強度Ｉ０は入射した光線３．１のエネルギに依存する。
【００３６】
従って、検出光のゆえに各光検出器で生成される電気信号の強さもまた、光検出器と光スポット３．２の衝突点との距離に依存する。
【００３７】
もし平面光導波路に複数の光検出器が接続されているならば、その導波モードで、種々の光強度が光検出器にて測定される。測定結果は、発光を生じさせる光スポットの衝突点から、測定する光検出器がどの程度離れているかに依存する。個々の光検出器において測定された信号強さの比から、投影面で発光を生じさせる光線の衝突点を、データ技術の点で自動化が可能な数学的方法を用いることでより正確に推定することができる。
【００３８】
図３はこの目的に適したアルゴリズムを示している。以下、その概略を述べる。
【００３９】
考慮する光検出器の全てについて同一の初期強度Ｉ０を仮定すると、個々の光検出器について個々の光検出器で測定された結果に応じて、関連する光検出器を囲むどの円上に、特定される光スポットの衝突点が存在すべきかを計算することが可能である。３個の光検出器に対応する円が、図２の点線を用いて例として描かれている。これらの円には合計６個の交点Ａ、Ｂ、Ｃ、ａ、ｂ、ｃがある。
【００４０】
計算のため、図２における、３個の内部交点ａ、ｂ、ｃが１つの交点に一致するまで３個全ての光検出器に有効な初期強度Ｉ０を増加したり減少させたりする。光衝突点の中心は、このようにして検出された「三重交点」に正確に位置する。
【００４１】
個々の光検出器間の距離が数センチメートルよりも大きくなければ、導波路内でガイドされる光強度の指数関数的な減少（これは損失によって生じる）は、幾何学的に影響されて生じる強度の減少と比較すると僅かである。それで、上記の式は次の式によって十分に近似される。
Ｉ＝Ｉ０／ｒ
このようにして、計算が単純化され、記載したアルゴリズムをより高速に繰り返すことができる。
【００４２】
とはいえ、現在、費用効率が高く、数多く問題なく手に入れることができるデータ処理システムの処理速度であれば、最初に述べた式を用いたより厳密な計算も、光衝突点の位置を素早く確定するという点でリアルタイム測定がなされたかのような速度で実行することができる。
【００４３】
面積と必要な解像度に応じて、望むだけの数の光検出器を、好ましくは規則的なパターンで、投影面に備え付けることができる。
【００４４】
光検出器がより密に備え付けられるほど、最小信号強さ、結果的に、同一の読み出し電子装置を有するコンポーネントの解像度が大きくなる。色素を添加した樹脂スラブを基礎とする最適化された導波路を用いた実験によると、正方形パターンにおいて、１２ｃｍの光検出器の間隔として＋／−１ｍｍよりも高い正確性を達成することができた。
【００４５】
光導波路上に光検出器を備え付けるには、硬化した状態において導波路と光検出器との間で光学的によい接触があるような接着剤を用いるべきである。この「光学的なよい接触」が実現されるのは、硬化した接着剤が導波モードの光に対して透明であって、その屈折率が導波路１の（即ち層１．１の）屈折率と光検出器の隣接部の屈折率との間にある場合である。（隣接した材料の屈折率の差が小さければ小さいほど、光はよりよくその２つの材料間の境界層を通ってガイドされる。）
【００４６】
図４は光検出器２の典型的な構造と、光導波路１の好ましい配置を示す。
【００４７】
光検出器２は典型的には一片のシリコンウエハである光電子素子２．１からなり、これは電気的に見ると光ダイオードまたは光トランジスタとなる。前記素子２．１の片面は、典型的にはセラミックの基礎薄膜２．２の片面に接続されており、そこに配列された導電体に電気的に接触・接続されている。この電気的接触は、延伸する、基礎薄膜２．２に同様に接続されている電気線２．４を介してさらに伝えられる。前記線は通常、フレキシブル回路基板上のワイヤまたは層によって形成できる。
【００４８】
光電子素子２．１の感光性の面は透明な「窓」２．３によって囲われる。この窓は典型的には透明樹脂からなり、接着によって光導波路１に接続される。
【００４９】
図４に示された有利な実施形態では、光検出器の接着箇所において、凹み１．３が光導波路１に型押し成形されている。前記凹みの内側輪郭は窓２．３の外側輪郭と同一である。窓２．３は前記凹み１．３に挿入され、接着によって結合される。
【００５０】
光検出器２と導波路１の接続面のこのような幾何学的な形態により、導波路の平面の変形していない領域に光検出器を配置することと比較すると大きな利点が得られる。光検出器の突き出しが少ないため、接続は機械的に著しくさらに頑強であり、組み立てはより良く処理でき、導波路と光検出器の光学的接続はより優れたものとなる。
【００５１】
典型的には、導波路の平面における光検出器２の窓２．３の断面積は約２×２ｍｍ２であり、それに垂直な高さは、この場合、約０．５ｍｍである。導波路１の適切な凹み１．３は、もし導波路が層厚み２０〜５００μｍのポリマーで形成される場合には、エンボス加工によって問題なく作成できることがわかった。
【００５２】
図５に示されるように、光検出器２は導波路において型出しされた開口部によって導波路１に固定することもできる。この開口部はまさに光検出器２の窓２．３の断面輪郭を有している。この窓は前記開口部を通して挿入され、導波路の開口部の切断面は窓２．３に対して接着されている。この配置は特に平坦性がある。
【００５３】
印刷または蒸着法によって導波路の表面に光検出器を形成することもまた可能である。
【００５４】
光検出器２と発光フィルム間の接着は、もしこの発光フィルムが光検出器の近傍で粗面化されるか、光検出器に向かい合う側が白色でコートされた場合には、絶対に必要というわけではない。導波モードからの光はそこでカップルアウトされ、フィルムから光検出器上に散乱させられる。
【００５５】
一つの有利な実施形態では、投影面の観察者側が、投影面の発光導波によってガイドされた発光が透過しないようにする一方、発光ポインタの光とキャリブレーションのために投影器５によって投影面へ投射された光は透過させるカラーフィルタフィルムによって覆われる。その結果、投影面の光検出器の信号／バックグラウンド比は改善され、投影面において、観察者に対して色がより一様であるという印象を与えることができる。そのようなフィルタフィルムを用いない形態では、投影面の発光効果はそうではなく、不愉快なカラフルな点として認識されてしまう。
【００５６】
投影が理想的に表現されるために、前述のフィルムの前にさらにフィルムが固定され、それによってあらゆる色の入射光の大部分が一様に後方散乱される。これにより、画像が投影された時に閲覧者に色と形が明確であるとの印象を与えることができる。このフィルムの目的は、上記の点の意味における光信号の解釈が可能なように、十分な光を透過させることである。
【図１】
2013533500.tif 000003
【図２】
2013533500.tif 000004
【図３】
2013533500.tif 000005
【図４】
2013533500.tif 000006
【図５】
2013533500.tif 000007
【国際調査報告】
2013533500.tif 000008
2013533500.tif 000009
2013533500.tif 000010
2013533500.tif 000011
2013533500.tif 000012
2013533500.tif 000013